(57)【要約】【課題】  電子機器に使用される出力増幅器に接続したスピーカの出力電流をスイッチグ電流回路に用いる高周波コイルを用いて電流検出可能なスピーカ出力電流検出回路及びその方法並びに電子機器を得る。【解決手段】  スイッチング電源回路１８内の高周波コイル１４ｂに出力増幅器３、３１〜３７からスピーカ６、６１〜６７間に配した１次巻線１４ａをカップリングさせたトランス１４によって異常電流を検出し、ＣＰＵ２２を介してスピーカ及び出力増幅器のプロテクトを行う。【選択図】      図１
2006197515.tif 000002
【特許請求の範囲】
【請求項１】
電源回路用スイッチングレギュレータで駆動されるスピーカのプロテクト手段をコントロールする様にされたスピーカ出力電流検出回路に於いて、
前記スピーカに接続された出力増幅器と、
前記電源回路用スイッチングレギュレータに用いる電流検出用コイルと、
前記電流検出用コイルで前記出力増幅器に接続した前記スピーカに流れる電流を電圧変換して検出する電圧検出手段と、
前記電圧検出手段で検出した検出電圧をデジタル変換したデジタルデータが供給されるコンピュータと、
前記コンピュータの出力により前記スピーカを保護する前記プロテクト手段と、
を具備し、
前記電源回路用スイッチングレギュレータに用いる前記電流検出用コイルに基づき検出した電流を電圧変換した前記電圧検出手段により前記プロテクト手段をコントロールすることを特徴とするスピーカ出力電流検出回路。
【請求項２】
前記電圧検出手段は前記電流検出用コイルから前記スピーカに流れる電流を前記電圧検出手段で電圧変換増幅し、整流積分後のアナログ電圧を前記コンピュータのデジタルポートに供給する様にしたことを特徴とする請求項１記載のスピーカ出力電流検出回路。
【請求項３】
前記電流検出用コイルは、前記電源回路用スイッチングレギュレータに用いるチョークコイルであり、該チョークコイルを２次巻線とし、該２次巻線にカップリングするように前記出力増幅器と前記スピーカ間に１次巻線を配設した巻線比１対２００のトランスとしたことを特徴とする請求項１又は請求項２記載のスピーカ出力電流検出回路。
【請求項４】
前記プロテクト手段は、前記コンピュータ内の記憶手段内に格納したテーブルデータと前記電圧検出手段からの電圧をデジタル変換した電圧データとを前記コンピュータが比較した比較データが閾値を超えたとき、前記スピーカの出力インピーダンスを低インピーダンス側に自動的に切換えるようにしたことを特徴とする請求項１乃至請求項３記載のいずれか１項記載のスピーカ電流検出回路。
【請求項５】
前記プロテト手段は、前記コンピュータ内の記憶手段内に格納したテーブルデータと前記電圧検出手段からの電圧をデジタル変換した電圧データとを前記コンピュータが比較した比較データが閾値を超えたとき、前記出力増幅器の出力を減衰または遮断して成ることを特徴とする請求項１乃至請求項３記載のいずれか１項記載のスピーカ電流検出回路。
【請求項６】
電源回路用スイッチングレギュレータで駆動されるスピーカのプロテクト手段をコントロールする様にされたスピーカ出力電流検出方法に於いて、
前記スピーカに接続された出力増幅器と、
前記電源回路用スイッチングレギュレータに用いる電流検出用コイルと、
前記電流検出用コイルで前記出力増幅器に接続した前記スピーカに流れる電流を電圧変換して検出する電圧検出手段と、
前記電圧検出手段で検出した検出電圧をデジタル変換したデジタルデータが供給されるコンピュータと、
前記コンピュータの出力により前記スピーカを保護する前記プロテクト手段と、
を具備し、
前記電源回路用スイッチングレギュレータに用いる前記電流検出用コイルに基づき検出した電流を電圧変換した前記電圧検出手段の電圧を前記コンピュータ内の記憶テーブルと比較した比較データにより前記プロテクト手段をコントロールすることを特徴とするスピーカ出力電流検出方法。
【請求項７】
電源回路用スイッチングレギュレータで駆動されるスピーカのプロテクト手段をコントロールする様にされた電子機器に於いて、
前記スピーカに接続された出力増幅器と、
前記電源回路用スイッチングレギュレータに用いる電流検出用コイルと、
前記電流検出用コイルで前記出力増幅器に接続した前記スピーカに流れる電流を電圧変換して検出する電圧検出手段と、
前記電圧検出手段で検出した検出電圧をデジタル変換したデジタルデータが供給されるコンピュータと、
前記コンピュータの出力により前記スピーカを保護する前記プロテクト手段と、
を具備し、
前記電源回路用スイッチングレギュレータに用いる前記電流検出用コイルに基づき検出した電流を電圧変換した前記電圧検出手段の電圧を前記コンピュータ内の記憶テーブルと比較した比較でデータにより前記プロテクト手段をコントロールすることを特徴とする電子機器。
【発明の詳細な説明】
【技術分野】
【０００１】
本発明は、スピーカ出力電流検出回路及びその方法並びに電子機器に係わり、特に、スイッチング電源に用いる電源回路に使用されている電流検出コイルを用いてスピーカの出力に流れる電流を検出し、コンピュータを用いてスピーカをリアルタイムにコントロールするようにしたスピーカ出力電流検出回路及びその方法並びに電子機器に関するものである。
【背景技術】
【０００２】
従来から、スピーカの負荷電流を検出する抵抗を出力増幅器の出力に接続し、この抵抗の両端に発生する電圧を増幅器で増幅し、出力増幅器の入力に帰還させてスピーカの低インピーダンス化を図った定電流駆動増幅器等が広く利用されているが、この様なスピーカの負荷電流を検出する検出手段として抵抗を用いると接続するスピーカのインピーダンスが低くなるにしたがって抵抗による電力損失の割合が増加し、効率が低下する課題があり、この様な課題を解消するめの構成が特許文献1に記載されている。
【０００３】
上記特許文献１に記載された構成は出力電流検出用の抵抗の代りに超電導コイルを用いるものであり、超電導コイルで検出した検出信号を逆相で出力増幅器に帰還するものである。この様な構成によると、超電導コイルによって、出力増増幅器の出力電流に比例した検出電流が得られるため出力増幅器の出力に接続するスピーカのインピーダンスを低インピーダンスとすることが出来る旨の記載がある。又、超電導コイルの代わりにダイナミックスピーカに流れる電流を検出し、この検出値に応じた電圧を出力増幅器に帰還させるようにしたダイナミックスピーカの駆動回路に於いて、ダイナミックスピーカに流れる電流をトランスで検出する構成が特許文献２に記載されている。更に、特許文献２と同様に１以上、例えば複数台のスピーカが接続されたスピーカラインが正常か否かを判断する為にトランスを検知回路に用いた構成が特許文献３に開示されている。
【０００４】
図６は特許文献４の従来技術に記載された拡声装置のスピーカ出力監視装置を示すものであり、図6に於いて、アンテナ２によって監視装置側からの無線信号を復調して音声信号を発生する受信装置1と、この受信装置１からの音声信号を増幅する出力増幅器３と、この出力増幅器３によって増幅された音声信号をバスライン４上に送出する１次巻線側の１端が接地されたトランス５と、バスライン４に送出された音声信号を放音するスピーカ６と一方のコイル１２ａがバスライン４に介挿され他端が該トランス５の２次側の一端に接続されたＳ／Ｎコイル１２と、このＳ／Ｎコイル１２の他方のコイル１２ｂに得られた信号を増幅するアンプ７と、このアンプ７の出力を整流し音声信号の有無を検出する音声信号検出器８と、この音声信号検出器８の出力に応じた無線信号を発生する送信装置１０と、この送信装置１０から出力される無線信号を監視装置側に送信するアンテナ９とを備えたものである。
【０００５】
上述の構成に於ける動作は、監視装置から送信された無線信号をスピーカ６に供給して音声を放音させると、バスライン４を介してＳ／Ｎコイル１２により電流信号を検出し、この電流信号をアンプ７で増幅した後に音声信号検出器８によって、音声信号を検知して検知結果を送信機装置１０とアンテナ９を介し監視装置に伝達させている。
【０００６】
上記した特許文献１乃至特許文献３に記載したものは、電流検出回路の検出手段としては超電導コイル又はトランスを用いるものである。又、上記した特許文献４の拡声装置のスピーカ出力監視装置に用いられるＳ／Ｎコイルは車載無線機等の電源ラインに挿入されて、電源ラインを介して通信機に混入する車両のイグニッションノイズ、或いは発電機のノイズを除去する為につくられた比較的小インダクタンスで大電流を流し得るトランスである。即ち、上記特許文献１乃至特許文献４に於いては、トランス或いは超電導コイルを用いてスピーカ６をハード的にコントロールするため複雑かつ繊細な各種のコントロールが出来ない課題を有していた、これに対し、本発明のスピーカ出力電流検出回路及びその方法並びに電子機器では電源回路用のスイッチングレギュレータの電流検出コイルを利用しコンピュータを用いてプロテクト手段を繊細にコントロールしようとするものである。
【０００７】
【特許文献１】特開平０１−１３５２０７号公報
【特許文献２】実開平０４−８５８９７号公報
【特許文献３】特開平１０−１３６４９３号公報
【特許文献４】特開平０４−２０２００号公報
【発明の開示】
【発明が解決しようとする課題】
【０００８】
本発明は上記課題を解決するために成されたもので、本発明が解決しようとする課題は、スピーカ出力電流検出回路及びその方法並びに電子機器に於いて、電源回路用スイッチングレギュレータの電流検出コイルを利用してスピーカの出力電流を検出し、コンピュータを介してスピーカ及び出力増幅回路のプロテクト手段の各種コントロールを繊細に行うことを目的とするものである。
【課題を解決するための手段】
【０００９】
第１の本発明は、電源回路用スイッチングレギュレータで駆動されるスピーカのプロテクト手段をコントロールする様にされたスピーカ出力電流検出回路に於いて、スピーカに接続された出力増幅器と、電源回路用スイッチングレギュレータに用いる電流検出用コイルと、この電流検出用コイルで出力増幅器に接続したスピーカに流れる電流を電圧変換して検出する電圧検出手段と、この電圧検出手段で検出した検出電圧をデジタル変換したデジタルデータが供給されるコンピュータと、このコンピュータの出力によりスピーカを保護するプロテクト手段と、を具備し、電源回路用スイッチングレギュレータに用いる電流検出用コイルに基づき検出した電流を電圧変換した電圧検出手段によりプロテクト手段をコントロールすることを特徴とするスピーカ出力電流検出回路としたものである。
【００１０】
第２の本発明は、電源回路用スイッチングレギュレータで駆動されるスピーカのプロテクト手段をコントロールする様にされたスピーカ出力電流検出方法に於いて、スピーカに接続された出力増幅器と、電源回路用スイッチングレギュレータに用いる電流検出用コイルと、この電流検出用コイルで出力増幅器に接続したスピーカに流れる電流を電圧変換して検出する電圧検出手段と、この電圧検出手段で検出した検出電圧をデジタル変換したデジタルデータが供給されるコンピュータと、このコンピュータの出力によりスピーカを保護するプロテクト手段と、を具備し、電源回路用スイッチングレギュレータに用いる電流検出用コイルに基づき検出した電流を電圧変換した電圧検出手段の電圧をコンピュータ内の記憶テーブルと比較した比較データによりプロテクト手段をコントロールすることを特徴とするスピーカ出力電流検出方法としたものである。
【００１１】
第３の本発明は、電源回路用スイッチングレギュレータで駆動されるスピーカのプロテクト手段をコントロールする様にされた電子装置に於いて、スピーカに接続された出力増幅器と、電源回路用スイッチングレギュレータに用いる電流検出用コイルと、この電流検出用コイルで出力増幅器に接続したスピーカに流れる電流を電圧変換して検出する電圧検出手段と、この電圧検出手段で検出した検出電圧をデジタル変換したデジタルデータの供給されるコンピュータと、このコンピュータの出力によりスピーカを保護するプロテクト手段と、を具備し、電源回路用スイッチングレギュレータに用いる電流検出用コイルに基づき検出した電流を電圧変換した電圧検出手段の電圧をコンピュータ内の記憶テーブルと比較した比較データによりプロテクト手段をコントロールすることを特徴とする電子機器としたものである。
【発明の効果】
【００１２】
第１乃至第３の本発明のスピーカ出力電流検出回路及びその方法並びに電子機器に於いては、電源回路用スイッチングレギュレータの電流検出回路の電流検出コイルを利用してスピーカ或いは出力増幅器の検出電流を検出し、コンピュータを介して、これらスピーカ及び出力増幅回路のプロテクタの各種コントロールを繊細に行うと共にスイッチング電源回路に用いるチョークコイルを電流検出用コイルに兼用可能なスピーカ出力電流検出回路及びスピーカ出力電流検出方法並びに電子機器が得られる効果を生ずる。
【発明を実施するための最良の形態】
【００１３】
以下、本発明のスピーカ出力電流検出回路及びその方法並びに電子機器を図１及び図２で説明する、本発明の特徴とするところは、スイッチング電源回路に用いるトランスを利用して、電子機器のスピーカ或いは出力増幅器の電流を減衰又は遮断、又はスピーカの出力インピーダンスの自動切換等のスピーカの各種プロテクトを繊細にコントロールすることが出来ると共にスイッチング電源回路に用いるチョークコイルを用いてスピーカの出力電流を検出可能なスピーカ出力電流検出回路及びその方法並びに電子機器を得ようとするものである。
【００１４】
図１及び図２に於いて、図１は本発明の各種電子機器に用いるスピーカ出力電流検出回路及スピーカ出力電流検出方法の原理的回路図、図２は図１の出力に接続する整流回路と積分回路の回路図である。図１及び図２に於いて、図６で説明した回路構成との対応部分には、以下、同一符号を付して説明する。
【００１５】
図１に於いて、１３は各種電子機器の出力増幅部を示すもので、出力増幅器３の出力端は、スイッチング電源回路に通常使用されている高周波チョークコイル（電流検出コイル）１４ｂにカップリングするよう様に巻回した１ターン程度の１次巻線１４ａを介してスピーカ端子６ａの＋端子に接続され、スピーカ６の−端子は接地電位に接続されている。従って、１次巻線１４ａと２次巻線１４ｂによりトランス１４が構成される。このトランス１４の２次巻線１４ｂの両端には電圧検出用抵抗Ｒ１が接続され、この抵抗Ｒ1の一端は演算増幅器１５の非反転入力端子（＋）に接続されると共に抵抗Ｒ１の他端は接地電位に接続されている。演算増幅器１５の反転入力端子（−）と演算増幅器１５の出力端間には帰還抵抗Ｒ２が接続され、演算増幅器１５の反転入力端子（−）と帰還抵抗Ｒ2との接続点と接地間には抵抗Ｒ３を接続する。
【００１６】
スイッチング用電源回路に用いる電流検出コイル１４ｂ、即ち、高周波チョークコイルは巻線が２００ターンと多いため、使用する周波数（略１００ＫＨｚを想定）が異なるため、トランス１４としては巻線比Ｐ：Ｓ＝１：２００程度のトランス１４とし、オーディオ帯域で充分な電圧振幅を得るために上記した演算増幅器１５を挿入する。この演算増幅器１５の出力Ａを図２に示す整流回路及１６及び積分回路１７に出力する。上述の構成ではトランス１４の１次コイル１４ａは出力増幅器３とスピーカ６１に１ターン程度のジャンパ線として挿入されるだけなので音質に影響を与えることは無い。
【００１７】
図2に於いて、演算増幅器１５からの出力電圧Ａは整流回路１６を構成するダイオードＤ１及び他端が接地されたダイオードＤ２のアノード及びカソードに供給される。ダイオードＤ１のカソードは他端が接地されたコンデンサＣ１の一端に接続され、ダイオードＤ２はコンデンサＣ１と並列的に接続される。又、コンデンサＣ１と他端が接地された抵抗Ｒ４が並列に接続されて積分回路１７を構成する。積分回路１７の後段には、コンピュータのアナログーデジタルポート（以下Ａ／Ｄポートと記す）の検出値を超えないようにツェナーダイオードＺＤを抵抗Ｒ４に並列に接続し、このツェナーダイオードＺＤからのＤＣ出力電圧をコンピュータのＡ／Ｄポートに供給する。
【００１８】
コンピュータ内のＡ／ＤポートではＤＣ出力電圧をデジタルデータに変換し、コンピュータ内の記憶手段内に格納された限界閾値テーブルとの比較が行なわれて電流検出コイル１４ｂが閾値以上の電流を検出した場合にはスピーカ６或いは出力増幅器３をプロテクトするようにコンピュータがコントロールする。
【００１９】
以下、図３及び図４により本発明の１形態例を詳記する。図３は記録再生装置等の電子機器の多チャンネル出力増幅回路内の１回路のスピーカ出力電流検出回路を示す系統図、図４は動作説明用のフローチャートである。
【００２０】
図３に用いる電子機器１３としては磁気テープ或いは磁気ディスクの記録又は／及び再生装置、光ディスク記録又は／及び再生装置、デジタルカメラ、携帯用電話機、ＰＤＡ等の出力増幅回路に接続されたスピーカに適用可能である。
【００２１】
以下、図３及び図４によって、７チャンネル構成のスピーカ出力電流検出回路について説明する。Ｔ１乃至Ｔ７は出力増幅器３１、３２・・３７の前段回路からの信号が供給される入力端子であり、例えば、１乃至７チャンネルの音声信号が各チャンネルの出力増幅器３１、３２・・３７に供給される。ここで、チャンネル２乃至チャンネル７の出力増幅器３２〜３７の出力は夫々のチャンネル用スピーカ６２〜６７に出力されて夫々のスピーカ６２〜６７から所定の音声信号を放音させる。これら各チャンネルに接続されるスピーカ６２〜６７の電流検出回路の構成は１チャンネル用の出力増幅器３１の構成と同様なので以下、出力増幅器３１の接続構成のみを説明する。
【００２２】
出力増幅器３１にはスイッチング電源回路１８から出力端子Ｔ１１を介して直流電圧Ｂ１が供給され、出力増幅器３１の出力は、電子機器１３のスイッチング電源回路１８内の電流検出コイル１４ｂと電磁誘導に依り磁気的にカップリングする１ターン程度の１次巻線１４ａを配設した巻線比Ｐ：Ｓ＝１：２００のトランス１４を構成し、該トランス１４の１次コイル１４ａはスピーカ３１の出力を制御する制御リレーＲＬを介しスピーカ６１の＋端子に接続され、スピーカ６１の−端子は接地されている。
【００２３】
上述のスイッチング電源回路１８としては種々の回路構成が知られているが本例では、スイッチング電源回路１８のＡＣ用の電源端子Ｔ８及びＴ９より商用の交流電圧Ｖ１を入力し、電源端子Ｔ８及びＴ９間に電源トランスＴＲＳの１次巻線をスイッチング用のトランジスタＴｒを介して接続する。３０は電源端子Ｔ８，Ｔ９間に配した交流電圧Ｖ１を直流にするブリッジ構成の整流回路であり、Ｃ３は平滑用のコンデンサである。スイッチング用のトランジスタＴｒのコレクタは電源トランスＴＲＳの１次巻線の巻き終わり点に接続され、エミッタは接地電位に落とされている。又ベースにはＰＷＣ（パルス幅制御回路）２０からの電圧が供給される。
【００２４】
ＰＷＣ２０は帰還増幅器２１からホトカプラＰＣで絶縁された帰還信号が供給される。帰還増幅器２１の非反転入力端子（＋）には安定化された直流電圧Ｂ１が供給され、反転入力端子（−）には基準電圧源Ｅｒからの基準電圧が供給されている。電源トランスＴＲＳの２次巻線の巻始点及び巻終点は整流回路を構成するダイオードＤ３及びＤ４のアノードに接続され、カソード同士は直列接続されている。
【００２５】
整流回路Ｄ３，Ｄ４の後段は出力増幅器３１の電圧供給端子に供給され、高周波チョークコイル１４ｂは図１で説明したと同様のトランス１４を構成する１ターン程度の１次巻線１４ａが出力増幅器３１とリレーＲＬ間に配されている。
【００２６】
高周波チョークコイル１４ｂの両端には図1で説明したと同様の電圧検出用の抵抗Ｒ1が接続され、抵抗Ｒ１からの検出電圧は、図1及び図2で説明した位相反転増幅器１５、整流回路１６、積分回路１７にアナログ直流電圧として供給され、コンピュータ（以下ＣＰＵと記す）２２のＡ／Ｄポート２３にてデジタルデータに変換され、中央制御部２４に供給される。ＣＰＵ２２内に通常の様に記憶手段としてのワーク用のＲＡＭ２７、ＲＯＭ２８、ＬＣＤ等の表示部２９、各種操作指示を行なう操作部２６等がバス２５を介して中央制御部２４と接続されている。操作部２６にはスピーカ３１によってユーザがスピーカインピーダンスを４Ω又は８Ωの何れかを選択するためのスイッチＳＷを有する。スイッチＳＷの１端はプルアップ用の抵抗Ｒｐに接続され他端は接地電位に接続されている。リレーＲＬ及びスイッチング電源回路１８内のＰＷＣ回路２０はＣＰＵ２０の中央制御部２４によって制御される。
【００２７】
上述の構成のスピーカ出力電流検出回路の本発明の動作を図４のフローチャートを基に説明する。図３の第Ｉチャンネルの入力端子Ｔ１に入力された音声信号は出力増幅器３１で増幅され、スイッチング電源回路１８の直流電圧Ｂ１はトランス１４を構成する１次巻線１４ａを経てスピーカ６１に供給されて放音される。この際に、１次巻線１４ａを通過する音声信号に比例してトランス１４の２次巻線１４ｂの高周波チョークコイルに誘導電流が蓄積される。このコイル１４ｂの両端の電圧は抵抗Ｒ１により検出する。
【００２８】
出力端子Ｔ１２から出力された検出電圧は上記したように使用される高周波チョークコイル１４ｂの周波数が想定値と異なる為バッファ用の位相反転増幅器１５を追加してオーディオ帯域で充分な電圧振幅を得るようにしている。位相反転増幅器１５の出力のままではＣＰＵ２２では交流信号のままなので整流回路１６と積分回路１７によって完全なＤＣ値に変換しＣＰＵ２２のＡ／Ｄポート２３に供給する。ＣＰＵ２２のＲＯＭ２８等のレジスタ内にはスピーカ６１或いは出力増幅器３１の異常状態になる基準の閾値がテーブルとして格納されている。
【００２９】
異常電流がスピーカ３１乃至スピ−カ３７に流れた場合の異常電流検出方法を図４により説明する。図４に於いて、第１ステップＳ１では入力端子Ｔ１乃至Ｔ７に入力される全（７）チャンネルのチェックを行なう。８回目ではレジスタをクリアする。ここで、ＹＥＳなら第２ステップＳ２に進み検出チャンネルの初期値に戻してエンドに至る。第１ステップＳ１がＮＯの場合は第３ステップＳ３に進む、第３ステップＳ３ではチャンネル毎の異常電流を検出（Ａ／Ｄ値）する。即ち、レジスタのテーブルに格納した値と設計時に決めた閾値を比較する処理を中央制御部２４が行い、例えば、第４ステップＳ４の様にスピーカ６１のインピ−ダンスが４Ωを超えていたら第５ステップＳ５に進み、プロテクタ処理を行なう。
【００３０】
第４ステップＳ４がＮＯならば第６ステップＳ６に進み、スピーカ６１のインピ−ダンスが８Ωを超えているかいなかの判断を行いＹＥＳなら第７ステップＳ７に進み、スピーカ６１のインピーダンスを４Ωに切り換える様にＣＰＵ２２はスピーカ３１の前段に配したリレーＲＬを駆動する。この場合、ＣＰＵ２２の中央制御部２４はスイッチング電源回路１８のＰＷＣ回路２０を制御し８Ω／４Ω用電圧に成るような制御を行う。第６ステップＳ６がＮＯならば第８ステップＳ８に進み、検出チャンネルを次のチャンネルに代えてエンドに至る。
【００３１】
上述の説明ではスピーカのインピ−ダンスが上昇した時のプロテクト方法を説明したが、出力増幅器３１の電力が上昇した異常状態を検出したとき入力端子Ｔ１乃至Ｔ７に供給される音声信号を遮断するようにＣＰＵ２２を制御してもよい。
【００３２】
図５は本発明の他の構成を示す電子機器１３のプロテクト方法を説明するための系統図である。図３との対応部分には同一符号を付して重複説明を省略するが、図５に於いては、入力端子Ｔ１乃至Ｔ７と各出力増幅器３１〜３７間には可変抵抗器ＶＲ１乃至ＶＲ７が配設されている。又、電流検出回路３１は図３中の回路１５乃至１７であり、プロテクタ３２はＣＰＵ２２中のソフトウエアを機能的に表したものである。
【００３３】
上述の構成では出力増幅器３１の出力過大電流を検出時に可変抵抗器ＶＲ１をプロテクタ３２がコントロールして音声信号の電流を制限し減衰させるように成したものである。又音量の調整やスピーカの音量が大きくなったとき自動的に音量を安全な値まで下げるようにし、表示部２９の表示画面３３に音量の上げ過ぎの注意を促す表示を行うことや表示画面３３に電源を強制的に切る旨の表示を行うようして、電源を自動的にオフすることも出来る。
【００３４】
本発明のスピーカ出力電流検出回路及びその方法並びに電子機器に依れば、電源回路用スイッチングレギュレータの電流検出回路の電流検出コイルを利用して検出電流を検出し、コンピュータを介してスピーカ及び出力増幅回路のプロテクタの各種コントロールを繊細に行うことができる。
【図面の簡単な説明】
【００３５】
【図１】本発明のスピーカ出力電流検出回路及びその方法並び電子機器の原理的回路図である。
【図２】図１の出力に接続される整流回路及び積分回路の回路図である。
【図３】本発明のスピーカ出力電流検出回路及びその方法並び電子機器の１形態例を示す系統図である。
【図４】本発明のスピーカ出力電流検出回路及びその方法並び電子機器の１形態例を示すフローチャートである。
【図５】本発明のスピーカ出力電流検出回路及びその方法並び電子機器の他の形態例を示す系統図である。
【図６】従来のスピーカ出力電流検出回路の回路図である。
【符号の説明】
【００３６】
１…受信装置、  ２、９…アンテナ、３、３１〜３７…出力増幅器、  ４…バス、  ５、１２、１４…トランス、  ６、６１〜６７…スピーカ、６ａ…スピーカ端子、  ８…音声信号検出器、  １０…送信装置、  １３…電子機器、１４ａ…１次巻線、１４ｂ…２次巻線  １５…演算増幅器、  １６…整流回路、１７…積分回路、１８…スイッチング電源回路、２０…ＰＷＣ、２２…ＣＰＵ、３０…電流検出回路、３２…プロテクタ
【図１】
2006197515.tif 000003
【図２】
2006197515.tif 000004
【図３】
2006197515.tif 000005
【図４】
2006197515.tif 000006
【図５】
2006197515.tif 000007
【図６】
2006197515.tif 000008